(57)【要約】【課題】就寝中の肩口からの冷えを防止する。【解決手段】掛け布団Ｃの襟元部Ｃ１となる一側辺に、その襟元部Ｃ１から少なくとも就寝者Ｍの口許にまで達する丈および通気容易性を有する布地１を着脱自在に設けることにより、掛け布団Ｃを被った時に就寝者Ｍの肩、首まわりにできる隙間を布地１が塞ぐ様にして肩、首まわりを覆う。【選択図】図２
2005261550.tif 000002
【特許請求の範囲】
【請求項１】
掛け布団の襟元部となる一側辺に、その襟元部から少なくとも就寝者の口許にまで達す
る丈および通気容易性を有する布地を着脱自在に設けたことを特徴とする就寝用襟掛け。
【請求項２】
二人用掛け布団に対応した上記布地では、その左右境界線上において、使用時に敷布団
上に接触する様に垂れ下がると共に、左右に広げられる箱ひだを設けたことを特徴とする
請求項１記載の就寝用襟掛け。
【発明の詳細な説明】
【技術分野】
【０００１】
本発明は、就寝中の肩口からの冷えを防止する就寝用襟掛けに関する。
【背景技術】
【０００２】
従来、特に冬季において、寝床に入った時に掛け布団の襟元の隙間から入ってくる冷気
によって肩口が冷えるため、就寝者の多くは肩を覆う様に掛け布団を引き上げて、掛け布
団を顔まで被って眠らねばならないが、これでは鼻や口に掛け布団の襟元が被さり、やが
て息苦しくなって寝入ることができなかった。
この様なことから、例えば特許文献１に開示される様に、掛け布団の襟元に掛ける襟カ
バー上に毛布等の保温性ある素材で襟ぐりを切込み形成した肩カバーを着脱自在に止着す
ることにより、襟ぐりに首を対応させ、肩カバーを顔まで掛けなくても肩部を覆って防寒
するものが見受けられる。
【特許文献１】特開平７−２７５１０２号公報
【発明の開示】
【発明が解決しようとする課題】
【０００３】
しかしながら、上記構成の肩カバーでは襟ぐりが定位置に設けられているに対し、人は
睡眠中に幾度となく寝返りを打つこと、並びに肩カバーは保温性ある厚手の素材で柔軟性
が不足していることから、寝返りによって襟ぐりから首がズレ動くと隙間が発生し、そこ
から冷気が侵入して役に立たなかった。
【課題を解決するための手段】
【０００４】
本発明は、掛け布団の襟元部となる一側辺に、その襟元部から少なくとも就寝者の口許
にまで達する丈および通気容易性を有する布地を着脱自在に設けたもの、又は二人用掛け
布団に対応した前記構成の布地では、その左右境界線上において、使用時に敷布団上に接
触する様に垂れ下がると共に、左右に広げられる箱ひだを設けた就寝用襟掛けを提供する
ことにより、上記課題を解決する。
【発明の効果】
【０００５】
要するに請求項１に係る発明では、就寝中、掛け布団の襟元部が浮き上がって就寝者と
布団との間に生ずる隙間を布地が塞いで肩や首まわりを被覆するため、布団内外間の空気
の流れを妨げて肩側を保温して身体全体と肩が同一温度となって身体全体が布団の中とい
う安心感が得られる。
又、布地は就寝者の首、肩によく馴染み就寝中に幾度寝返りしても首まわりをソフトに
覆ってリラックス状態を維持でき、よって寝心地が良く安眠でき、しかもこの布地は構成
が簡単なため安価に提供できる。
又、布地が口許まで被さっても、布地の通気性により、息苦しくなく、布地を通して呼
吸できると共に、吐息によって一段と保温効果を上げることができ、マスク代わりにもな
るため、口に埃が入り難く、口や喉の渇きを防止でき、特に顔まで被って寝る習慣の人に
は有効である。
そして、上記布地は、特に汚れやすい首まわりの掛け布団の襟元カバー代わりにもなり
、布団の清潔さを保つ役目も果たすことができ、布地が汚れた場合などには掛け布団から
布地を簡単に取り外して洗濯でき清潔である。
【０００６】
請求項２に係る発明によれば、二人用掛け布団に対応した上記布地において、その左右
境界線上には、使用時に敷布団上に接触する様に垂れ下がると共に、左右に広げられる箱
ひだを設けたので、この箱ひだが寝床に入った二人の間に生ずる隙間に垂れ下がってその
隙間を塞げると共に、箱ひだは各就寝者の動きに応じ広がることができるため、箱ひだを
境にして布地の左右が上記と同様に一人用として機能できる等その実用的効果甚だ大であ
る。
【発明を実施するための最良の形態】
【０００７】
以下本発明の実施の形態としての実施例を図面に基づいて説明する。
本発明に係る就寝用襟掛けは、掛け布団Ｃの襟元部Ｃ１である一側辺に着脱自在に設け
た布地１であり、該布地１は空気流通の遮断による保温性、変形容易性（柔軟性）および
通気容易性を有する素材から成り、即ち呼吸による空気流通は可能で大気の緩やかな流れ
は遮断する素材であり、肌ざわりがソフトでさわやかな感触および耐洗濯性を有するもの
がより好ましく、具体的にはタオル地、ガーゼ等が挙げられる。
尚、ガーゼの場合には数枚重ね合わせてキルティングを施して１枚の布地１として使用
している。
布地１の大きさについては、掛け布団Ｃの幅や厚みによって異なるが、基本的には掛け
布団Ｃを被った状態で、就寝者Ｍの肩や首まわりが隙間なく十分に被覆される様に成して
おり、更に具体的には、図１〜５に示す様に布地１の幅は人の肩幅よりも広くして仰臥や
横臥に拘らず肩や首まわりを被覆する様に設定され、図示例の如く襟元部Ｃ１の広さより
も若干狭くても又は同一であっても良く、又布地１の丈は就寝者Ｍが掛け布団Ｃを被った
時に、少なくとも襟元部Ｃ１から就寝者Ｍの口許に達する長さ（図３、図５中の一点鎖線
参照）を有する様に設定されており、例えば襟元部Ｃ１から食み出した長さを、掛け布団
Ｃの厚みにもよるが概ね３０〜４０cmとしている。
【０００８】
掛け布団Ｃが二人用の場合、図８に示す様に、布地１はその左右境界線上において、就
寝者Ｍが掛け布団Ｃを被った使用時に敷布団Ｓ上に接触する様に垂れ下がると共に、左右
に広げられる箱ひだ２を設けている。
この箱ひだ２は、布地１における左右境界線に対応する部位を弛ませる様にして左右に
設けたひだ山2a、2bを突き合わせ、その突き合わせ部において布地１の一方の長手端縁側
だけを一部縫製した所謂インバーテッドプリーツである。
【０００９】
布地１の掛け布団Ｃに対する着脱手段３は、なんら限定されず、例えば図示例の様に、
布地１の一方の長手端縁に所定間隔を置いて設けた複数のボタン穴と、該ボタン穴に係合
する様に掛け布団Ｃの襟元部Ｃ１側適所の幅方向に逢着したボタンとから成るもの、或い
は図示しない紐、ホック、オープンファスナー、又は面ファスナーなどから成る着脱手段
３を用いても良く、いずれの着脱手段３も洗濯により布地１が傷まないものがより好まし
い。
尚、図中、符号Ｐは枕である。
【００１０】
次に本発明に係る就寝用襟掛けの作用について説明する。
着脱手段３にて布地１の一方の長手端縁を掛け布団Ｃの襟元部Ｃ１に取付けることによ
り、布地１はその他方が掛け布団Ｃの襟元部Ｃ１から食み出した状態で掛け布団Ｃに一体
連結される。
図２〜５に示す様に、寝床に入った状態では、掛け布団Ｃが浮き上がって生ずる隙間を
布地１が襟元部Ｃ１から垂れ下がることで塞ぎ、素材の柔軟性から就寝者Ｍの肩、首まわ
りを襟巻き状に覆って布団内外の空気の流通を妨げ身体を保温する。
布地１の食み出し部分は、少なくとも就寝者Ｍの口許にまで達する丈を有しているため
、比較的丈の長い布地１にあっては、布地１を引き延ばした状態で就寝者Ｍの口を覆う（
図３、図５中の一点鎖線参照）こともできる。
この状態で就寝しても、布地１は通気性に富んでいるので布地１を通して呼吸できる。
この状態において、布地１の幅は就寝者Ｍの肩幅より広く設定してゆとりをとっている
ため、布地１を丈方向に引き延ばしても、布地１の幅方向のゆとり分が弛んで上記隙間を
塞ぎ、就寝者Ｍの口許まわりを覆って身体を保温する。
【００１１】
又、布地１を内側へ折り返して使用することも可能で、この場合も肩、首まわりを覆う
使い方と口許まで覆う使い方がある。
即ち、図６の様に、布地１において、顔に対応する略中間部分のみを襟元部Ｃ１の下に
折り込み、この折り込み部分の左右部分が就寝者Ｍの肩、首まわりを襟巻き状に覆う様に
することもできる。
或いは、襟元部Ｃ１を折り込んだ部分をだぶつく様に折り返して図７の様に口許を覆う
様にすることもできる。
【００１２】
図８に示す二人用の就寝用襟掛けにあっては、就寝者Ｍ間に生ずる隙間を箱ひだ２が垂
れ下がって塞ぎ、各就寝者Ｍを上記と同様に保温する。
又、箱ひだ２によって就寝者Ｍ間に布地１の幅方向のゆとりを有するため、布地１は各
就寝者Ｍの動きに対応して左右に広がり、各就寝者Ｍが寝返りを打って寝相が変わっても
就寝者Ｍ間に隙間ができず、布地１による各就寝者Ｍの保温を維持でき、この布地１の左
右部分は個々に上記一人用と同様な使用形態を可能としている。
【図面の簡単な説明】
【００１３】
【図１】掛け布団に就寝用襟掛けを取付けた寝床の平面図である。
【図２】就寝状態を示す平面図である。
【図３】布地を口許まで被せた状態の平面図である。
【図４】図２のＡ矢視図である。
【図５】図２のＢ矢視図である。
【図６】布地で襟元部を折り込んだ使用例を示す断面図である。
【図７】布地で襟元部を折り込んだ他の使用例を示す断面図である。
【図８】二人用就寝用襟掛けを掛け布団に取付けた寝床の平面図である。
【符号の説明】
【００１４】
１    布地
２    箱ひだ
Ｍ    就寝者
Ｃ    掛け布団
Ｃ１  襟元部
【図１】
2005261550.tif 000003
【図２】
2005261550.tif 000004
【図３】
2005261550.tif 000005
【図４】
2005261550.tif 000006
【図５】
2005261550.tif 000007
【図６】
2005261550.tif 000008
【図７】
2005261550.tif 000009
【図８】
2005261550.tif 000010